(57)【要約】【課題】縦方向の振動のみならず、横方向の振動に対しても、衝突音の発生することのない二重床の支持脚構造を提供する。【解決手段】床下地板８と床スラブ９との間に該床下地板を支えるように設置される支持脚構造Ｙであって、該支持脚構造は脚部Ｃと、床受け材１と防振部２とからなる床受け部Ａと、から構成され、上記脚部Ｃは、その上端に左右一対の立ち上がり片３１を有する側面視略Ｕ字状の枠体３を備えるとともに、その下端は台座６に接続され、この枠体３の側方端部の開口部７から上記床受け部Ａを挿入、収納し、上記防振部２上に載置された床受け材１の左右側面と、上記左右一対の立ち上がり片３１との、それぞれの間に介装するように上記防振部２の左右側面上部に防音片２１を立設している。【選択図】　図１
2004036332.tif 000002
【特許請求の範囲】
【請求項１】
床下地板と床スラブとの間に該床下地板を支えるように設置される支持脚構造であって、該支持脚構造は脚部と、床受け材と防振部とからなる床受け部と、から構成され、上記脚部は、その上端に左右一対の立ち上がり片を有する側面視略Ｕ字状の枠体を備えるとともに、その下端は台座に接続され、この枠体の側方端部の開口部から上記床受け部を挿入、収納し、上記防振部上に載置された床受け材の左右側面と、上記左右一対の立ち上がり片との、それぞれの間に介装するように上記防振部の左右側面上部に防音片を立設したことを特徴とする二重床の支持脚構造。
【請求項２】
上記脚部が上部脚部と下部脚部とから構成されるとともに、上部脚部と、下部脚部との間には、脚部の上下長さを伸縮自在とする伸縮機構が設けられている、請求項１に記載の二重床の支持脚構造。
【請求項３】
上記防振部が弾性材料から形成されている、請求項１に記載の二重床の支持脚構造。
【請求項４】
上記防振部には、その上面と下面に複数条の受け突起が並設されている、請求項１に記載の二重床の支持脚構造。
【請求項５】
上記枠体の左右一対の立ち上がり片の上端に、それぞれフランジ片が水平方向かつ、外方または内方に延設され、過荷重受け部を構成している、請求項１に記載の二重床の支持脚構造。
【請求項６】
上記枠体の左右一対の立ち上がり片の上端に、それぞれフランジ片が水平方向内方に延設されて過荷重受け部を構成し、更に、該フランジ片と床受け材との間に防音片を延設している、請求項１に記載の二重床の支持脚構造。
【発明の詳細な説明】
【０００１】
【発明の属する技術分野】
本発明は、二重床の支持脚構造に関する。詳しくは、床下地板と床スラブからなる二重床の間に、上記床下地板を支えるように設置される支持脚の構造に関する。
【０００２】
【従来の技術】
従来、集合住宅等のコンクリート建物等において、物を落下させた時の衝撃音等、階下への騒音防止を図るため、あるいは、床面と床スラブとの間にパソコン等の配線用の床下空間を設けるために、二重床構造とすることが行われている。この場合、一般的には、床スラブの上方に離間して位置する床下地板を、支持脚で支えて床下空間を確保している。
【０００３】
【発明が解決しようとする課題】
この支持脚の構造としては、たとえば、図４に示すように、枠体３、上部脚部４と下部脚部５からなる脚部Ｃ、台座部６および、上記枠体３にその側方開口部７から挿入、収納される床受け部Ｂから構成されるものが、既に知られている。この公知の支持脚構造において、床受け部Ｂは、通常、木質材からなる床受け材１ｂと、この床受け材１ｂを載置、固定する防振部と２ｂからなり、防振部２ｂは、側断面矩形状に形成された弾性変形可能なゴム材等、弾性材料から構成されている。
【０００４】
上記構成を有する二重床の支持脚によって、床下地板を支持するとき、床下地板は、床受け材１ｂに載置、固定されるとともに、床受け材１ｂにかかる荷重は防振部２ｂで支えられ、この防振部２ｂは、弾性変形可能であるため、荷重の大きさに比例して圧縮変形し、振動を吸収する。しかし、振動は、荷重が縦方向にかかる上下動に必ずしも限られるものではなく、横方向に振動する場合も多い。このとき、通常、金属からなる枠体３の立ち上がり部３１と、上記床受け材１ｂの側面とが接触して衝突音を発生し、新たな騒音を発生する。本発明は上記問題を解決するために考え出されたものであって、縦方向の振動のみならず、横方向の振動に対しても、上記衝突音が発生することのない、二重床の支持脚構造を提供することを、その課題とする。
【０００５】
【課題を解決するための手段】
本発明は、上記課題を解決するために、つぎのような技術的手段を講じている。すなわち、本発明によれば、床下地板と床スラブとの間に該床下地板を支えるように設置される支持脚構造であって、該支持脚構造は脚部と、床受け材と防振部とからなる床受け部と、から構成され、上記脚部は、その上端に左右一対の立ち上がり片を有する側面視略Ｕ字状の枠体を備えるとともに、その下端は台座に接続され、この枠体の側方端部の開口部から上記床受け部を挿入、収納し、上記防振部上に載置された床受け材の左右側面と、上記左右一対の立ち上がり片との、それぞれの間に介装するように上記防振部の左右側面上部に防音片を立設したことを特徴とする二重床の支持脚構造が提供される。このように構成することによって、縦方向の振動のみならず、横方向の振動に対しても、衝突音が発生することのない、二重床の支持脚構造を提供することができる。
【０００６】
上記脚部は、上部脚部と下部脚部とから構成されるとともに、上部脚部と、下部脚部との間には、脚部の上下長さを伸縮自在とする伸縮機構が設けられることが好ましい。このようにすることによって、本発明の支持脚構造の上下長さを、所望の長さとするように調節することができる。
【０００７】
また、上記防振部は、弾性材料から形成されることが好ましい。弾性材料として、ゴム、弾性プラスチック等を用いることにより、防振部は、荷重がかかると圧縮変形して沈み込むとともに、荷重が除かれると弾性復帰し、すぐれた緩衝作用を示す。
【０００８】
上記防振部には、その上面と下面に、上記弾性材料から形成された複数条の受け突起が並設されることが好ましい。このようにすることによって、上記複数条の受け突起が圧縮変形することにより、荷重を柔らかに吸収するとともに沈み込み、また、荷重が除かれると柔らかに弾性復帰する。
【０００９】
また、上記枠体の左右に立設した一対の立ち上がり片の上端に、それぞれフランジ片が水平方向かつ、外方または内方に延設され、過荷重受け部を構成する。このようにすることによって、所定以上の過荷重がかかると、上記フランジ片で床下地板の下面を支えることができ、床下地板の所定以上の沈み込みを防止することができる。更に、上記枠体の左右一対の立ち上がり片の上端に、それぞれフランジ片が水平方向内方に延設されて過荷重受け部を構成し、更に、該フランジ片と床受け材との間に防音片を延設することが好ましい。このようにすることにより、床受け材と該フランジ片との衝突音を防止できる。
【００１０】
【発明の実施の形態】
以下、本発明の好ましい実施の形態について、図面を参照してより詳細に説明する。なお、従来技術を説明する図４と共通する部分については、図４に示す符合を援用し、図４も参照しながら説明する。図１は、床下地板８と床スラブ９との間に設けられた、本発明にかかる二重床の支持脚構造Ｙの側断面図である。図１において、優れた剛性を備えた金属製の枠体３は、側面視略Ｕ字状であり、左右に立設した一対の立ち上がり片３１の上端に、それぞれフランジ片３２が水平方向かつ、外方に延設されている。この一対のフランジ片３２は、後述する過荷重受け部を構成する。ここで、便宜上、一対のフランジ片３２が並設される方向を左右方向と称し、この左右方向に直交する方向を前後方向と称すると、上記枠体３の端部には、側方開口部７が形成される。この側方開口部７から、床受け材１と防振部２とからなる床受け部Ａが挿入され、収納される。
【００１１】
図１からよくわかるように、上記支持脚構造Ｙの脚部Ｃは、上記枠体３を上端に備えた上部脚部４と、床スラブ上への安定載置を図る台座６を下端に接続した下部脚部５とを連結させて構成されたものであり、上部脚部４と、下部脚部５との間には、脚部の上下長さを伸縮自在とする伸縮機構が設けられている。この伸縮機構は、下部脚部５の筒内面に螺設された雌ネジと、上部脚部４の軸周面に螺設された雄ネジと、ダブルナット等、公知の固定手段（図示せず）から構成されており、雌ネジに雄ネジを螺合させ、下部脚部５に対して上部脚部４を回転させることによって、上記支持脚構造Ｙの上下長さを調節し、所望の位置で、上記固定手段によって固定する構造とされている。
【００１２】
また、上記床受け部Ａは、床受け材１と、この床受け材１を載置する防振部２から構成されるとともに、この防振部２の上面と下面にそれぞれ、複数条の受け突起２２が並設されている。また、防振部２の左右側面上部には、枠体３の左右に立設された一対の立ち上がり片３１と、上記床受け材１の左右側面との間に、それぞれ、介装するように防音片２１が立設されている。
【００１３】
図１において、床受け材１の上に載置し、釘等の固定手段（図示せず）で固定された床下地板８に荷重がかかると、弾性材料から構成された防振部２は、その上面と下面に設けられた複数条の受け突起２２が圧縮変形することにより、柔らかに荷重を吸収するとともに沈み込む。さらに、所定以上の過荷重がかかると、フランジ片３２が床下地板８の下面を支えて、所定以上の沈み込みを防ぎ、併せて、防振部２の過剰な圧縮変形を防止し、防振部２のへたりを防ぐ。
【００１４】
本発明の二重床の支持脚構造Ｙは、上記のように通常、動作するのであるが、さらに、前述したように、横方向の振動が生じた場合、弾性材料から構成された防音片２１が、枠体３の左右に立設された一対の立ち上がり片３１と、床受け材１の左右側面との間に、それぞれ、介装されているため、両者の間での衝突音の発生を防ぐ。なお、図１において前後への横方向の振動は、上記枠体３の側方開口部７から逃げるため、とくに衝突音が発生することはない。以上、説明したように、本発明の二重床の支持脚構造は、防音片２１を設けることによって、縦方向のみならず、横方向の振動が起こった場合でも、衝突音の発生を防ぐことができる。
【００１５】
図２は、本発明の二重床の支持脚構造Ｙの他の実施形態を示す側断面図である。図２において、優れた剛性を備えた金属製の枠体３は、側面視略Ｕ字状であり、左右に立設した一対の立ち上がり片３１の上端に、それぞれフランジ片３３が水平方向かつ、内方に対向するように延設されている。この一対のフランジ片３３は、既述の過荷重受け部を形成する。
【００１６】
図２からよくわかるように、本実施形態においては、床受け材１の上部の中央部には、凸部１１が設けられている。床下地板８は、この凸部１１の上に載置、固定されるとともに、防振部２によって、弾性的に支持されている。このとき、防振部２の左右側面上部に立設された防音片２１は、枠体３の左右に立設された一対の立ち上がり片３１と床受け材１の左右側面との間に介装され、さらに上記フランジ片３３の下面と、床受け材１の上面との間にまで延設されている。このように、防振部２の左右側面上部に立設された防音片２１が、床受け材１の側面および上面を覆うように介装されているため、床面に縦方向、横方向の振動が発生した場合でも、衝突音の発生を防ぐことができる。
【００１７】
図３は、本発明にかかる二重床の支持脚構造に、約４５ｃｍ角の床下地板８の四隅を載置、固定した状態を示す平面図である。このように、床面を構成し、その上に木質系のフローリングあるいは、カーペット等の表面材を敷きこめば、物を落としたときの衝撃音の発生や、縦方向や横方向の振動による支持脚構造Ｙからの騒音の発生を防ぐことができる。さらに、二重床の間の空間には、パソコン等の配線を収納することができるため、室内をすっきりと、見栄えのよいものとすることができる。
【００１８】
【発明の効果】
以上のべたように、請求項１に記載の発明は、床下地板８と床スラブ９との間に該床下地板８を支えるように設置される支持脚構造Ｙであって、該支持脚構造は脚部Ｃと、床受け材１と防振部２とからなる床受け部Ａと、から構成され、上記脚部Ｃは、その上端に左右一対の立ち上がり片３１を有する側面視略Ｕ字状の枠体３を備えるとともに、その下端は台座６に接続され、この枠体３の側方端部の開口部７から上記床受け部Ａを挿入、収納し、上記防振部２上に載置された床受け材１の左右側面と、上記左右一対の立ち上がり片３１との、それぞれの間に介装するように上記防振部２の左右側面上部に防音片２１を立設したことを特徴とする二重床の支持脚構造である。このように構成することによって、縦方向の振動のみならず、横方向の振動に対しても、騒音の発生することのない、二重床の支持脚構造を提供することができる。
【００１９】
請求項２に記載の発明によれば、上記脚部Ｃは、上部脚部４と下部脚部５とから構成されるとともに、上部脚部４と、下部脚部５との間には、脚部Ｃの上下長さを伸縮自在とする伸縮機構が設けられる。このようにすることによって、請求項１に記載の発明の効果に加えて、本発明の支持脚構造の上下長さを、所望の長さとするように調節することができる。
【００２０】
請求項３に記載の発明によれば、上記防振部２が弾性材料から形成される。このようにすることによって、請求項１に記載の発明の効果に加えて、弾性材料から構成された防振部は、荷重を吸収して沈み込むとともに、荷重が除かれると弾性復帰し、すぐれた緩衝作用を示す。
【００２１】
請求項４に記載の発明によれば、上記防振部２は、その上面と下面に複数条の受け突起が並設される。このようにすることによって、請求項１に記載の発明の効果に加えて、上記複数条の受け突起が圧縮変形することにより柔らかに荷重を吸収するとともに沈み込み、また、荷重が除かれると柔らかに弾性復帰する。
【００２２】
請求項５に記載の発明によれば、上記枠体の左右に立設した一対の立ち上がり片の上端に、それぞれフランジ片が水平方向かつ、外方または内方に延設され、過荷重受け部を構成する。このようにすることによって、請求項１に記載の発明の効果に加えて、所定以上の過荷重がかかると、上記フランジ片で床下地板の下面を支えることができ、床下地板の所定以上の沈み込みを防止することができる。
【００２３】請求項６に記載の発明によれば、上記枠体３の左右一対の立ち上がり片３１の上端に、それぞれフランジ片３３が水平方向内方に延設されて過荷重受け部を構成し、更に、該フランジ片３３と床受け材１との間に防音片２１を延設する。
このようにすることにより、請求項１に記載の発明の効果に加えて、床受け材１と該フランジ片３３との衝突音を防止できる。
【図面の簡単な説明】
【図１】本発明にかかる二重床の支持脚構造の側断面図である。
【図２】本発明にかかる二重床の支持脚構造の他の実施形態を示す側断面図である。
【図３】本発明にかかる二重床の支持脚構造に、床下地板の四隅を載置した状態を示す平面図である。
【図４】従来の二重床の支持脚を示す分解斜視図である。
【符号の説明】
１　　　　床受け材
１１　　　凸部
２　　　　防振部
２１　　　防音片
２２　　　受け突起
３　　　　枠体
３１　　　枠体の左右に立設された一対の立ち上がり片
３２　　　一対の立ち上がり片の上端外方に延設されたフランジ部
３３　　　一対の立ち上がり片の上端内方に延設されたフランジ部
４　　　　上部脚部
５　　　　下部脚部
６　　　　　台座
７　　　　　側方開口部
８　　　　　床下地板
９　　　　　床スラブ
Ｙ　　　　　本発明にかかる二重床の支持脚構造
Ａ　　　　　本発明にかかる二重床の支持脚構造の床受け部
Ｂ　　　　　従来技術による二重床の支持脚の床受け部
Ｃ　　　　　脚部
【図１】
2004036332.tif 000003
【図２】
2004036332.tif 000004
【図３】
2004036332.tif 000005
【図４】
2004036332.tif 000006